(57)【要約】【課題】回転槽内を循環する洗濯水の流量に関わらず、回転槽内の洗濯物全体に満遍なく洗濯水を供給し、洗濯性能に優れたドラム式洗濯機を提供すること。【解決手段】水槽２内の洗濯水を回転槽４へ循環させる循環水路２０と、水槽２内の洗濯水を循環水路２０に送水するポンプ２１と、ポンプ２１によって送水される洗濯水を回転槽４の開口部の周縁部から回転槽４内へ吐出するノズル２６と、循環水路２０からノズル２６へ洗濯水を導くノズル水路２２を備え、ノズル２６は、ノズル水路２２の壁面から洗濯水の流出側に突出したガイド３１が設けられ、ガイド孔３２の面積は洗濯水の流入側より流出側が大きくなるように形成される。【選択図】図１
2014045932.tif 000002
【特許請求の範囲】
【請求項１】
洗濯水を溜める水槽と、
前記水槽内に回転可能に配設され前面側に開口部を設けた回転槽と、
前記回転槽を駆動するモータと、
前記水槽内の洗濯水を前記回転槽へ循環させる循環水路と、
前記水槽内の洗濯水を前記循環水路に送水するポンプと、
前記循環水路と連通し、前記回転槽の開口部の周縁部の外側に設けられたノズル水路と、前記ポンプによって送水される洗濯水を前記回転槽の開口部の周縁部から前記回転槽内へ吐出するノズルとを備え、
前記ノズルは、前記ノズル水路の壁面から前記洗濯水の流出側に突出したガイドが設けられ、前記ガイドのガイド孔の面積は、洗濯水の流入側より流出側が大きくなるように形成されたことを特徴とするドラム式洗濯機。
【請求項２】
前記ガイド孔の流出側の端面は、エッジ形状となるよう形成されたことを特徴とする請求項１に記載のドラム式洗濯機。
【請求項３】
前記ガイドから吐出した洗濯水は、前記水槽の前端壁裏面と前記回転槽の前端壁表面との間に位置する反射部を経て前記回転槽内に循環されることを特徴とする請求項１または２に記載のドラム式洗濯機。
【発明の詳細な説明】
【技術分野】
【０００１】
本発明は、衣類等の洗濯をおこなうドラム式洗濯機に関する。
【背景技術】
【０００２】
従来のドラム式洗濯機は、縦型洗濯機よりも使用水量が少なく、水槽内の洗濯物が全て洗濯水に浸る訳ではない為、水槽内の洗濯水をポンプによって回転槽内へ循環させて洗濯物に噴出している。（例えば、特許文献１参照）。
【０００３】
特許文献１のドラム式洗濯機は、回転槽の前面側から回転槽の中心側に少しずつ角度を変えて複数形成されている吐出口より、洗濯水を噴出している。
【先行技術文献】
【特許文献】
【０００４】
【特許文献１】特開２０１１−２５０９２０号公報
【発明の概要】
【発明が解決しようとする課題】
【０００５】
しかしながら、前記従来の構成の吐出口は、循環水路を構成する壁面の一部に孔を設けてノズルが形成されている。壁面の一部の孔から洗濯水が吐出されるため、吐出口が回転槽の周方向に少しずつ角度を変えて複数の吐出口から吐出するよう形成されても、洗濯水が回転槽の周方向に自然に広がる範囲には限度がある。このため、回転槽内の様々な位置に存在する洗濯物に対して十分に均一に洗濯水をかけることが困難であるという課題を有していた。
【０００６】
本発明は、前記従来の課題を解決するもので、回転槽内へ吐出される洗濯水の範囲を均一に広げることで、洗濯性能を向上させたドラム式洗濯機を提供することを目的とする。
【課題を解決するための手段】
【０００７】
前記従来の課題を解決するために、本発明のドラム式洗濯機は、
洗濯水を溜める水槽と、
前記水槽内に回転可能に配設され前面側に開口部を設けた回転槽と、
前記回転槽を駆動するモータと、
前記水槽内の洗濯水を前記回転槽へ循環させる循環水路と、
前記水槽内の洗濯水を前記循環水路に送水するポンプと、
前記循環水路と連通し、前記回転槽の開口部の周縁部の外側に設けられたノズル水路と、前記ポンプによって送水される洗濯水を前記回転槽の開口部の周縁部から前記回転槽内へ吐出するノズルとを備え、
前記ノズルは、前記ノズル水路の壁面から前記洗濯水の流出側に突出したガイドが設けられ、前記ガイドのガイド孔の面積は、洗濯水の流入側より流出側が大きくなるように形成されたものである。
【０００８】
このような構成によって、ポンプにより回転槽内に送水される洗濯水は、常に均一に広がるよう吐出される。
【発明の効果】
【０００９】
本発明のドラム式洗濯機は、回転槽内に循環させる洗濯水を洗濯物全体に満遍なく供給することができ、洗濯性能を高めることができる。
【図面の簡単な説明】
【００１０】
【図１】本発明の実施の形態１における洗濯機の概略構造を示す断面図
【図２】同ドラム式洗濯機の図１のＡ−Ａ矢視図
【図３】同ドラム式洗濯機のノズルの断面図
【図４】従来のノズルの断面図
【図５】本発明の実施の形態１における洗濯機の洗濯工程の動作を示すタイムチャート
【図６】本発明の実施の形態１におけるノズルからの洗濯水の吐出状況を示す模式図
【図７】本発明の実施の形態２におけるノズルからの洗濯水の吐出状況を示す模式図
【図８】本発明の実施の形態３における洗濯機の概略構造を示す断面図
【図９】本発明の実施の形態３におけるノズル水路周辺部の断面図
【発明を実施するための形態】
【００１１】
本発明の洗濯機は、
洗濯水を溜める水槽と、
前記水槽内に回転可能に配設され前面側に開口部を設けた回転槽と、
前記回転槽を駆動するモータと、
前記水槽内の洗濯水を前記回転槽へ循環させる循環水路と、
前記水槽内の洗濯水を前記循環水路に送水するポンプと、
前記循環水路と連通し、前記回転槽の開口部の周縁部の外側に設けられたノズル水路と、前記ポンプによって送水される洗濯水を前記回転槽の開口部の周縁部から前記回転槽内へ吐出するノズルとを備え、
前記ノズルは、前記ノズル水路の壁面から前記洗濯水の流出側に突出したガイドが設けられ、前記ガイドのガイド孔の面積は、洗濯水の流入側より流出側が大きくなるように形成されたものである。
【００１２】
このような構成によって、ガイドの内壁面近傍の洗濯水の流れは、流体の粘性により内壁面に沿って流れようとするため、ガイド孔から吐出する際、扇状の膜を形成する。このため、洗濯水が均一に広がることで、洗濯物全体に満遍なく洗濯水を供給することができ、洗濯効率を高めることができる。
【００１３】
また、本発明の前記ガイド孔の流出側の端面は、エッジ形状となるよう形成されたものである。
【００１４】
このような構成によって、ノズル水路を循環する洗濯水の循環流量の大小に関わらず、常に均一に広がるようガイドから吐出させることができる。即ち、循環流量が多い場合、ガイドの内壁面に沿って大部分の洗濯水が吐出してしまい、ガイド中心部の洗濯水の密度が減ることで扇状の膜が維持できなくなる、結果、洗濯物全体に満遍なく洗濯水を供給することが出来なくなる、という問題の発生を抑えることが可能となる。
【００１５】
また、本発明の前記ガイドから吐出した洗濯水は、前記水槽の前端壁裏面と前記回転槽の前端壁表面との間に位置する反射部を経て前記回転槽内に循環されるものである。
【００１６】
このような構成によって、吐出した洗濯水は反射部の形状に従い、回転槽の前端および後端の任意の位置に向かって吐出させることが可能となる。また同時に、反射部の形状に従い、回転槽開口部の周方向の広がりを任意に吐出させることが可能となる。
【００１７】
以下、本発明の実施の形態に係る洗濯機について、図面を参照しながら説明する。なお、以下の実施の形態は、本発明を具体化した一例であって、本発明の技術的範囲を限定す
るものではない。
【００１８】
（実施の形態１）
以下、本発明の実施の形態１について、図面を参照しながら説明する。図１は、本発明の実施の形態１における洗濯機の概略構造を示す断面図である。図２は、本発明の実施の形態１におけるドラム式洗濯機の図１のＡ−Ａ矢視図である。図３は、本発明の実施の形態１におけるドラム式洗濯機のノズルの断面図である。図４は、従来のノズルの断面図である。
【００１９】
図１〜図３において、有底円筒形に形成された水槽２が筐体１内に弾性的に支持されている。水槽２内には有底円筒形に形成された回転槽４が回転可能に配設されている。回転槽４の回転軸心１０は、回転槽４の円筒形の中心線とほぼ一致しており、これは水槽２の円筒形の中心線ともほぼ一致している。水槽２および回転槽４は、前面側に各々、開口部５、６が形成されている。水槽２および回転槽４は、開口部５、６の側を筐体１の正面側にして、回転槽４の回転軸心１０が水平方向から前上がりに傾斜（例えば、１０〜２０度）されて支持されている。回転軸心１０が前上がりに傾斜することで、少量の水で深い貯水状態が得られ、節水性を向上することができる。しかし、節水性を考慮しなければ、回転軸心１０は水平であってもよい。
【００２０】
水槽２の開口部５および回転槽４の開口部６に対向して、筐体１の前面に開閉自在な扉体７が設けられている。使用者は、扉体７を開くことにより、回転槽４に対して洗濯物を出し入れすることができる。なお、水槽２の開口部５の周囲には、柔軟な、例えばラバー等の弾性体によって成形されたベローズ８が配設されている。扉体７が閉じられると、その内面にベローズ８の一端が圧接し、開口部５と扉体７がシールされる。
【００２１】
水槽２の開口部５と反対側の底面には、回転槽４を回転駆動するモータ９が取り付けられている。モータ９のロータは、回転槽４の回転軸心１０で回転槽４と連結されており、モータ９の回転は回転軸心１０によって回転槽４に伝達される。回転槽４の円筒周壁１１には、複数の突起体１２が回転軸心１０に向かって突出して設けられている。回転槽４が回転することにより、洗濯物が突起体１２で引っ掛けられて上方に持ち上げられ、ある程度の高さから落下させるといった撹拌動作が行われる。
【００２２】
回転槽４の周壁には、通孔１３が全周にわたって複数設けられている。回転槽４は、水槽２内の洗濯水が所定の水位に溜まると、通孔１３から回転槽４内に洗濯水が入ってくるように構成されている。
【００２３】
水槽２の上方には、洗剤を収容する洗剤容器１４が設けられている。洗剤容器１４は、水道の蛇口と接続されている給水弁１５に接続されている。給水弁１５の開閉によって、洗剤容器１４への水道水の供給と停止が行われる。また、洗剤容器１４の下方には、洗剤容器１４内に導入された水を洗剤とともに水槽２内に導く給水経路１６が設けられている。
【００２４】
水槽２の下方には、水槽２内の洗濯水を排出する排水口１７が設けられている。排水口１７の下流には、排水口１７から排出される洗濯水を筐体１の外へと導く排水経路１８が設けられている。排水経路１８の途中には、排水経路１８を開閉する排水弁１９が設けられている。
【００２５】
排水経路１８には、水槽２から排出された洗濯水が回転槽４を経て、再び水槽２内へ導かれる循環水路２０が接続されている。循環水路２０は、排水経路１８と途中で分岐して設けられている。循環水路２０は、水槽２の後方下部から前方に向かって水槽２の下方に
ほぼ水平に配設されている。循環水路２０の途中には、ポンプ２１が設けられている。ポンプ２１が駆動すると、水槽２内の洗濯水が排水口１７から循環水路２０内に引き込まれる。循環水路２０に流入した洗濯水は、ポンプ２１により加圧されて回転槽４へ送水される。このように循環水路２０を通して水槽２へ洗濯水が循環される。
【００２６】
水槽２の正面側の内側には、回転槽４の開口部６側から見て、円形の開口部５の外周側にノズル水路２２が設けられている。ノズル水路２２は、回転槽４に円形に設けた開口部６の周縁部２３の外側に略円状に設けられている。水槽２に設けた開口部５と、回転槽４に設けた開口部６と、ノズル水路２２は略同心円状に形成されている。
【００２７】
ポンプ２１により送水される水槽２内の洗濯水は、循環水路２０を通ってノズル水路２２に設けられた流入口２５からノズル水路２２内へと導かれる。その後、洗濯水は、ノズル水路２２に設けられた少なくとも３個以上（図２の例は７個）の複数のノズル２６（２６ａ〜２６ｇ）へと導かれる。ノズル２６は、ノズル水路２２から回転槽４の内側に向けて、より詳細には回転軸心１０側に向けて洗濯水を噴出するように設けられている。
【００２８】
複数のノズル２６（２６ａ〜２６ｇ）は、回転槽４の開口部６の周縁部２３から離れた位置に形成されており、ノズル２６を回転槽４の開口部６に露出させることなく、回転槽４内の洗濯物に対して、拡散した洗濯水をかけることが可能となり、回転槽４に洗濯物を投入するとき、あるいは、取り出し時に開口部６に引っ掛かって傷めることがなく、かつ、洗濯物の出し入れが容易で、使い勝手をよくすることができる。
【００２９】
ノズル２６からの噴流は、拡散しながら回転槽４の開口部６から回転槽４内へと導かれるよ。このため、ノズル２６が回転槽４の開口部６の周側部から離れた位置に形成されていても、ノズル２６からの噴流は、不要な壁面抵抗を受けることなく回転槽４内へ導かれる。このような構成により、流速の低下が最低限に抑えられ、洗濯水を勢いよく回転槽４内の洗濯物に供給することができる。
【００３０】
ノズル２６は、開口部６の周縁部２３の外側に略円状に設けられたノズル水路２２に複数設けてあり、洗濯水の噴出方向を全て回転槽４の回転軸心１０に向けた方向から回転槽４の開口面側から見て、同一方向へ所定の変位角度（ずらし角度）θ１で変位させている。ノズル２６ａ〜２６ｇの変位角度（ずらし角度）θ１は、同じ角度に設定されている。
【００３１】
ノズル２６には、ノズル水路２２の一部を回転槽４の回転軸心１０側へ膨らませた膨出部２９が設けられている。膨出部２９の平面部３０には、平面部３０から洗濯水の流出側に突出したガイド３１と、ガイド３１に囲われるガイド孔３２とが設けられている。
【００３２】
平面部３０は、ガイド孔３２から噴出する洗濯水の噴出方向と直交し、ノズル２６が変位角度（ずらし角度）θ１となるよう傾斜して形成される。これにより、吐出される洗濯水同士の衝突を防ぎ、洗濯物全体に均一に洗濯水が供給される。
【００３３】
ガイド孔３２は、ガイド孔３２の直径ｄを、洗濯水の流入側（ｄ１）より流出側（ｄ２）が大きくなるように形成されている。すなわち、ガイド孔３２は、流入側の開口面積よりも流出側の開口面積の方が大きい。また、平面部３０とガイド３１の内壁の角度θ２は、９０度より大きい角度となるよう形成される。
【００３４】
さらに、ガイド３１の大きさは、直径ｄよりも長さＬが大きくなるよう構成されている。詳細には、直径ｄが約６ｍｍ、長さＬが約９ｍｍであり、ガイド３１の長さＬは、直径ｄの略１．５倍である。以上により、ガイド３１の内壁面近傍の洗濯水は、ガイド３１を通過する間、即ちガイドの長さＬの区間で流体の粘性により内壁面に沿って流れようとす
る。このため、洗濯水は、ガイド孔３２から吐出する際、扇状の膜を形成する。このため、洗濯水が均一に広がり、洗濯物全体に満遍なく洗濯水を供給することができる。
【００３５】
これについて詳しく説明する。図４は、従来のノズルの断面図である。図４に示すように通常、ノズル１００は、構造を簡便なものとするため、ノズル水路１０１の平面部１０２上が開口することにより形成されるノズル孔１０３が設けられている。
【００３６】
しかしながら、吐出される洗濯水は図４（ロ）に示す様に、ほぼノズル孔１０３の直径ｄ’の幅のまま流出し、開口部６の周方向の広がりをもたないため、回転槽４内の洗濯物に対して、均一に拡散した洗濯水をかけることが困難となる。
【００３７】
また、ノズル孔１０３の直径ｄ’を大きくすれば吐出時の洗濯水（ロ）の広がりも大きくなるが、同時に洗濯水の流速が落ちるので、洗濯水を回転槽４内の洗濯物にかけることが困難となる。即ち、図２のノズル２６ｂ、２６ｃ、２６ｄ、２６ｅから吐出される洗濯水は、流速が低い場合、重力の影響で回転槽４内の洗濯物まで到達しない可能性がある。
【００３８】
そこで、本発明は、図３に示すように、ガイド孔３２の直径ｄを、洗濯水の流入側（ｄ１）より流出側（ｄ２）が大きくなるように形成（ｄ１＜ｄ２）し、θ２を９０度より大きい角度とすることで、洗濯水（ロ）は扇状の膜を形成し、洗濯物全体に満遍なく洗濯水を供給することができる。
【００３９】
尚、θ２について、９０度＜θ２≦１１０度程度にすれば、流入側で洗濯水が縮流することによりガイドの内壁面に沿わずに吐出し、洗濯水が扇状の膜を形成できなくなることを防ぐことができる。更に、洗濯水（ロ）の広がり度合いを考慮しつつ、９０度＜θ２≦１００度程度にすれば洗濯水の縮流防止には、なお効果的である。
【００４０】
また、開口部６の周方向への洗濯水の広がりについては、上記の通りガイド孔３２の直径ｄ１およびｄ２で調整可能となるが、回転槽４の開口部６から回転槽４の底部にかけての洗濯水の吐出角度については、ノズル水路２２の壁面から突出したガイド３１の角度で任意に調整可能となる。
【００４１】
筐体１内の後方下部には、モータ９、給水弁１５、排水弁１９、ポンプ２１等を制御し、洗濯、すすぎ、脱水の各工程の動作を設定されたプログラムに基づいて制御する制御手段３５が設けられている。
【００４２】
以上のように構成されたドラム式洗濯機について、以下、その動作、作用を説明する。図５は、本発明の実施の形態１におけるドラム式洗濯機の洗濯工程の動作を示すタイムチャートである。
【００４３】
使用者が、扉体７を開いて回転槽４内に洗濯物を投入して運転を開始すると、制御手段３５は、投入された洗濯物の量を検知する。その後、給水弁１５を開き、水道水が洗剤容器１４内に貯蔵された洗濯洗剤を溶かして、洗濯水が給水経路１６から水槽２内に給水される。
【００４４】
水槽２内に溜められる洗濯水は水位検知手段（図示せず）によって検知される。洗濯物の量に応じて設定された水量が溜められると、制御手段３５は、給水を停止して洗濯を開始する。回転槽４はモータ９によって正逆回転駆動され、回転槽４内に収容された洗濯物は、回転槽４の円筒周壁１１に設けられた突起体１２により回転方向に持ち上げられた後、落下し、洗濯物は叩き洗いの作用によって洗浄される。
【００４５】
洗濯水の水位は、叩き洗いの効果が得られるように洗濯物が洗濯水まで落下する距離が設定され、回転槽４内の下方まで洗濯水が溜められる。しかしながら、水槽２内の水位が低い状態では、洗濯物全体に洗濯水が行き渡りにくい。このため、回転槽４内の洗濯物に洗濯水を降りかけるべく、ポンプ２１を動作させると、水槽２内の洗濯水は水槽２の底部に設けた排水口１７から循環水路２０内に引き込まれる。
【００４６】
循環水路２０から流入口２５を通してノズル水路２２へ送水された洗濯水は、環状に長く形成された端部２２ａに向かって２方向へ分岐され、等間隔に設けられた複数のノズル２６（２６ａ〜２６ｇ）から回転槽４内に向かって拡散させながら噴出する。洗いおよびすすぎ時は、ポンプ２１を動作させて水槽２内の洗濯水を循環させ、洗濯物に満遍なく洗濯水をかける。
【００４７】
複数のノズル２６（２６ａ〜２６ｇ）は、洗濯水の噴出方向イを、回転槽４の開口面側から見て、回転槽４の回転軸心１０に向けた方向から、同一方向へ所定の変位角度（ずらし角度）θ１で変位させている。また、ノズルから突出したガイド３１のガイド孔３２は、その直径が洗濯水の流入側より流出側が大きくなるように形成しているため、ポンプ２１により水槽２内に送水する洗濯水が、回転槽４内に噴出される範囲を拡大することができる。
【００４８】
また、複数のノズル２６の少なくとも１個以上のノズル２６ｇは、回転槽４の開口部６の周縁部２３の上端近傍から回転槽４内に向かって洗濯水を噴出するように構成している。このため、洗濯物の最上点近傍から洗濯水をかけることができ、上方の洗濯物に供給された洗濯水が重力により下方へと流れていく過程において、下方の洗濯物にも供給されるため、効率よく洗濯物全体に満遍なく洗濯水を供給し続けることができる。
【００４９】
また図５に示す通り、洗い工程初期は循環流量を多くし、洗い工程の初期以外は循環流量を少なくする様にポンプ２１を作動させる。即ち、洗い工程初期は回転槽４内の洗濯物がまだ均一に濡れておらず洗浄効果が十分に出ない為、洗濯物を出来るだけ早く均一に濡らすべく、より多くの洗濯水を供給する必要がある。一方、洗い工程初期以外においては、洗濯物は一度濡れているので、洗い工程初期ほど多くの循環流量は必要としない。むしろ、洗い工程全てにおいて循環流量が過剰の場合、異常発泡してすすぎ性が悪くなる等の弊害が起こる可能性もある。
【００５０】
所定の洗い時間が経過すると、排水弁１９が開かれ、水槽２内の洗濯水は排水経路１８を通して排水される。排水完了後、新たにすすぎ用の洗濯水が給水されてすすぎ工程が実行される。すすぎ工程における回転槽４の動作は、洗濯工程と同様である。すすぎ工程でもポンプ２１を作動し、すすぎ水を回転槽４内の洗濯物全体に満遍なく供給することにより、効果的にすすぎが行われる。
【００５１】
所定回数のすすぎ工程が終わると、排水弁１９を開いて水槽２内のすすぎ水を排水し、回転槽４を高速回転させて洗濯物に含まれているすすぎ水を脱水する、脱水工程を所定時間実行して運転を終了する。なお、乾燥装置を設け、脱水工程に続いて乾燥工程を実行するようにしてもよい。
【００５２】
以上のように、本発明のドラム式洗濯機は、循環させる洗濯水のガイド孔３２の直径を洗濯水の流入側より流出側を大きくさせたものであり、洗濯水が回転槽内に噴出される範囲を均一に拡大することができ、回転槽内の洗濯物に満遍なく洗濯水を供給することができ、洗浄効率およびすすぎ効率を高めることができる。
【００５３】
（実施の形態２）
図６、図７は、本発明の第２の実施の形態におけるドラム式洗濯機のノズルの断面図および、ノズルからの洗濯水の吐出状況を示す模式図である。尚、図６および図７において、（ａ）は循環流量が少ない場合（例えばノズル一箇所あたり２Ｌ／ｍｉｎ程度）、（ｂ）は循環流量が多い場合（例えばノズル一箇所あたり４Ｌ／ｍｉｎ程度）である。
【００５４】
本実施の形態の特徴は、ノズル水路２２の壁面から洗濯水の流出側に突出したガイド３１の端面３３は、Ｒ部を設けずエッジ形状となるよう形成されたものである。他の構成は実施の形態１と同じであり、同一の構成に同一の符号を付して、詳細な説明は実施の形態１のものを援用する。
【００５５】
図６（ａ）に示す通り、洗濯水の循環流量が少ない場合は、ガイド孔３２から吐出される洗濯水は流体の粘性により内壁面に沿って流れようとするため、扇状の膜を形成し均一に広がり洗濯物全体に満遍なく洗濯水が供給される。
【００５６】
ところが、図６（ｂ）に示す通り、洗濯水の循環流量が多い場合は、ガイド孔３２から吐出される洗濯水は、同様に流体の粘性により内壁面に沿って流れるが、ガイド孔３２の流出側の端面３３のＲ部の影響をより大きく受ける。結果、開口部６の周方向に大きく広がり過ぎ、扇状の膜の中央部の洗濯水の密度が疎となり途切れて、洗濯水の無い空間部３４が生じる。この結果、洗濯物全体に満遍なく洗濯水を供給することができなくなる。
【００５７】
つまり、洗い工程の進行とともにポンプの駆動回転数を変化させる制御を行った場合、循環させる流量の大小により回転槽内へ噴出される範囲が異なり、場合によっては噴出範囲が不均一なことを使用者がノズルの異物詰まり、即ち本体の故障と誤認する、などの課題がある。
【００５８】
そこで、図７（ａ）および（ｂ）に示す通り、ノズル水路２２の壁面から突出したガイド孔３２の流出側の端面３３にＲ部を設けずエッジ形状とすることで、洗濯水の流れをガイド孔３２の端面３３からより確実に剥離することができる。このため循環流量が多い場合も、吐出した洗濯水が開口部６の周方向に大きく広がり過ぎることもない為、循環流量に関わらず、洗濯水は扇状の膜を均一に形成して広がり、洗濯物全体に満遍なく洗濯水を供給することができる。
【００５９】
（実施の形態３）
図８は、本発明の第３の実施の形態におけるドラム式洗濯機の概略構造を示す断面図である。図９は、本発明の第３の実施の形態におけるドラム式洗濯機の要部断面図である。
【００６０】
本実施の形態の特徴は、ガイド孔３２から吐出した洗濯水が、水槽２の前端壁裏面と回転槽４の前端壁表面との間に位置する反射部２８を経て回転槽４内に循環されるようにしたものである。他の構成は実施の形態１と同じであり、同一の構成に同一の符号を付して、詳細な説明は実施の形態１のものを援用する。
【００６１】
図８および図９に示す通り、ノズル水路２２の内周縁部２４は、開口部６の周縁部２３より半径方向の外側に位置する。
【００６２】
また、ノズル２６と、開口部６の周縁部２３との間には空間部２７が設けられている。空間部２７には、ノズル２６から空間部２７に噴出した洗濯水を開口部６に向かって反射させる反射部２８が設けられている。反射部２８は、空間部２７に噴出した洗濯水を開口部６へと導いて、回転槽４内へ導入されるように構成されている。
【００６３】
また、ノズル２６から噴出された噴流を反射部２８に導くための導水壁面等はなく、ノ
ズル２６からの噴流は、空間部２７に放出された後、反射部２８の衝突面２８ａに衝突する。
【００６４】
また、反射部２８は、回転槽４の前面部に対向して開口部５の周囲に環状に配設してあり、ノズル２６から噴出した洗濯水が衝突する衝突面２８ａを、ノズル２６からの噴流方向に対して傾斜させて設けている。これにより、ノズル２６からの噴流を衝突面２８ａで多方向へ飛散させることなく、安定的に着水させ、傾斜面に沿って流しながら拡散させることができるため、回転槽４内の洗濯物に対して、安定した拡散状態で洗濯水を供給することができる。
【００６５】
ノズル２６からの噴流方向に対する衝突面２８ａの傾斜角度は、緩やかであるほど、より安定的に噴流を着水させ、拡散させることができる。しかしながら、反射部２８が衝突面２８ａだけで構成されていた場合、ノズル２６からの噴出方向に対する衝突面２８ａの傾斜角度が緩やかであれば、噴流を回転槽４の内側奥方向へと導くことができず、回転槽４内の前方の衣類にしか洗濯水が供給されない。
【００６６】
そこで、反射部２８には、ノズル２６からの噴流が衝突面２８ａに衝突した後、回転槽４の内側奥方向へと導くための案内部２８ｂをその内周縁に設けている。ノズル２６からの噴流方向に対して衝突面２８ａは、案内部２８ｂよりも緩やかに傾斜させている。これにより、ノズル２６からの噴流を回転槽４内に導くための方向とは関係なく、衝突面２８ａの傾斜をノズル２６からの噴流方向に対して緩やかに設定することができ、より安定的に噴流を着水させ、拡散させることができる。その後、回転槽４内に向けた方向へ案内部２８ｂで導くため、回転槽４内の洗濯物に対して、安定した拡散状態で洗濯水を供給することができる。
【００６７】
また、反射部２８は、案内部２８ｂで洗濯水を導く長さを、衝突面２８ａで洗濯水を導く長さより短くしている。ノズル２６から噴出する噴流を衝突面２８ａに安定的に着水させ、拡散させるためには、衝突面２８ａに対して噴流が接触する距離は、噴流の衝突範囲以上の長さで構成する必要がある。一方、案内部２８ｂは、噴流の方向を変えるだけの機能であるため、衝突面２８ａよりも短く接触させるだけで十分である。これにより、案内部２８ｂにおける流速低下を最低限に抑えることができ、回転槽４内の洗濯物に対して洗濯水をより勢いよく供給することができる。
【００６８】
以上の通り、空間部２７に噴出した洗濯水は反射部２８の衝突面２８ａに衝突し、回転槽４の開口部６に向かって反射されるとともに、回転槽４の回転方向に拡散され、かつ、案内部２８ｂにより開口部６の周縁部２３の近傍から回転槽４内に向かって噴出するので、回転槽４内の洗濯物全体に満遍なく洗濯水を供給することができ、結果、洗浄性能およびすすぎ性能を向上させることができる。
【００６９】
なお、本発明の実施の形態に記載した構成は、他の実施の形態と組み合わせて実施することができる。また、他の実施の形態の一部と組み合わせることができる。
【産業上の利用可能性】
【００７０】
以上のように、本発明にかかるドラム式洗濯機は、回転槽内に循環させる洗濯水の流量に関わらず、洗濯物全体に満遍なく洗濯水を供給することができ、洗濯効率を高めることができるので、ドラム式洗濯機として有用である。
【符号の説明】
【００７１】
１  筐体
２  水槽
４  回転槽
５、６  開口部
７  扉体
８  ベローズ
９  モータ
１０  回転軸心
１１  円筒周壁
１２  突起体
１３  通孔
１４  洗剤容器
１５  給水弁
１６  給水経路
１７  排水口
１８  排水経路
１９  排水弁
２０  循環水路
２１  ポンプ
２２  ノズル水路
２５  流入口
２６、２６ａ、２６ｂ、２６ｃ、２６ｄ、２６ｅ、２６ｆ、２６ｇ  ノズル
２７  空間部
２８  反射部
２８ａ  衝突面
３１  ガイド
３２  ガイド孔
１００  ノズル
１０１  ノズル水路
１０３  ノズル孔
【図１】
2014045932.tif 000003
【図２】
2014045932.tif 000004
【図３】
2014045932.tif 000005
【図４】
2014045932.tif 000006
【図５】
2014045932.tif 000007
【図６】
2014045932.tif 000008
【図７】
2014045932.tif 000009
【図８】
2014045932.tif 000010
【図９】
2014045932.tif 000011